(57)【特許請求の範囲】
【請求項１】
復調に必要なＣ／Ｎ（搬送波電力対雑音電力比）値が大きい第１の変調方式による第１の被変調波と、復調に必要なＣ／Ｎ値が小さい第２の変調方式による第２の被変調波とが時間軸多重されて伝送される階層化伝送ディジタル放送を受信して記録するディジタル放送記録装置において、
受信信号のＣ／Ｎ値を測定するＣ／Ｎ測定手段と、該Ｃ／Ｎ測定手段から出力されるＣ／Ｎ値と予め定めた閾値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段と、前記デマルチプレクサ又は前記復号手段の出力を記録する記録手段とを備え、
前記記録手段は、受信信号のＣ／Ｎ値が予め定めた第１の閾値以上のときには、前記第１の被変調波によって伝送された情報を第１のビットレートで記録し、受信信号のＣ／Ｎ値が前記第１の閾値未満であってかつ前記第１の閾値より小さい第２の閾値以上のときには、前記第２の被変調波によって伝送された情報を前記第１のビットレートより小さい第２のビットレートで記録することを特徴とするディジタル放送記録装置。
【請求項２】
復調に必要なＣ／Ｎ（搬送波電力対雑音電力比）値が大きい第１の変調方式による第１の被変調波と、復調に必要なＣ／Ｎ値が小さい第２の変調方式による第２の被変調波とが時間軸多重されて伝送される階層化伝送ディジタル放送を受信して記録するディジタル放送記録装置において、
受信信号のＣ／Ｎ値を測定するＣ／Ｎ測定手段と、該Ｃ／Ｎ測定手段から出力されるＣ／Ｎ値と予め定めた閾値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段と、前記デマルチプレクサ又は前記復号手段の出力を記録する記録手段とを備え、
前記記録手段は、情報を磁気テープに記録する記録手段であり、受信信号のＣ／Ｎ値が予め定めた第１の閾値以上のときには、前記第１の被変調波によって伝送された情報に係るアナログ信号を第１のテープ速度で記録し、受信信号のＣ／Ｎ値が前記第１の閾値未満であってかつ前記第１の閾値より小さい第２の閾値以上のときには、前記第２の被変調波によって伝送された情報に係るアナログ信号を前記第１のテープ速度より小さい第２のテープ速度で記録することを特徴とするディジタル放送記録装置。
【請求項３】
復調に必要なＣ／Ｎ（搬送波電力対雑音電力比）値が大きい第１の変調方式による第１の被変調波と、復調に必要なＣ／Ｎ値が小さい第２の変調方式による第２の被変調波とが時間軸多重されて伝送される階層化伝送ディジタル放送を受信して記録するディジタル放送記録装置において、
受信信号のＣ／Ｎ値を測定するＣ／Ｎ測定手段と、該Ｃ／Ｎ測定手段から出力されるＣ／Ｎ値と予め定めた閾値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段と、前記デマルチプレクサ又は前記復号手段の出力を記録する記録手段とを備え、
前記記録手段は、情報を磁気ディスクに記録する記録手段であり、受信信号のＣ／Ｎ値が予め定めた第１の閾値以上のときには、前記第１の被変調波によって伝送された情報に係るアナログ信号を第１の線速度で記録し、受信信号のＣ／Ｎ値が前記第１の閾値未満であってかつ前記第１の閾値より小さい第２の閾値以上のときには、前記第２の被変調波によって伝送された情報に係るアナログ信号を前記第１の線速度より小さい第２の線速度で記録することを特徴とするディジタル放送記録装置。
【請求項４】
請求項２又は３記載のディジタル放送記録装置において、前記比較器の出力が変化した後に同一の出力値が継続する時間を測定し、該継続時間が所定値以上のときに、前記記録手段で記録するときの記録速度を切り替えることを特徴とするディジタル放送記録装置。
【請求項５】
復調に必要なＣ／Ｎ（搬送波電力対雑音電力比）値が大きい第１の変調方式による第１の被変調波と、復調に必要なＣ／Ｎ値が小さい第２の変調方式による第２の被変調波とが時間軸多重されて伝送される階層化伝送ディジタル放送を受信して記録するディジタル放送記録装置において、
受信信号のＣ／Ｎ値を測定するＣ／Ｎ測定手段と、該Ｃ／Ｎ測定手段から出力されるＣ／Ｎ値と予め定めた閾値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段と、前記デマルチプレクサまたは前記復号手段の出力を記録する記録手段とを備え、
前記記録手段は、受信信号のＣ／Ｎ値が予め定めた第１の閾値以上のときには、前記第１の被変調波によって伝送された情報を記録し、受信信号のＣ／Ｎ値が前記第１の閾値未満のときには、記録を停止することを特徴とするディジタル放送記録装置。
【請求項６】
請求項５記載のディジタル放送記録装置において、前記比較器の出力が変化した後に同一の出力値が継続する時間を測定し、該継続時間が所定値以上のときに、前記記録手段での記録を行うか停止するかを切り替えることを特徴とするディジタル放送記録装置。
【請求項７】
復調に必要なＣ／Ｎ（搬送波電力対雑音電力比）値が大きい第１の変調方式による第１の被変調波と、復調に必要なＣ／Ｎ値が小さい第２の変調方式による第２の被変調波とが時間軸多重されて伝送される階層化伝送ディジタル放送を受信するディジタル放送受信装置において、
受信信号のＣ／Ｎ値を測定するＣ／Ｎ測定手段と、該Ｃ／Ｎ測定手段から出力されるＣ／Ｎ値と予め定めた閾値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段と、前記デマルチプレクサまたは前記復号手段の出力を記録する記録手段とを備え、
受信信号のＣ／Ｎ値が予め定めた第１の閾値以上のときには、前記デマルチプレクサは前記第１の被変調波によって伝送されたトランスポートパケットを抽出して前記記録手段へ供給し、受信信号のＣ／Ｎ値が前記第１の閾値未満のときには、前記デマルチプレクサはトランスポートパケットを前記記録手段へ供給せず、前記記録手段は記録を中止することを特徴とするディジタル放送受信装置。
【発明の詳細な説明】
【０００１】
【発明の属する技術分野】
本発明は、ディジタル放送受信装置及びディジタル放送記録装置に関し、特に、復調に必要とするＣ／Ｎ（搬送波電力対雑音電力比）値が異なる複数の変調方式による被変調波が時間軸多重化されて放送される階層化伝送ディジタル放送の受信装置及び記録装置に関する。
【０００２】
【従来の技術】
ＢＳ（Broadcasting Satellite）ディジタル放送では、複数のＴＳ（Transport Stream：トランスポートストリーム）が多重化された信号から視聴要求のあった番組のパケットを選択する方式が採用されている。前記ＢＳ放送における階層化伝送ディジタル放送では、復調に必要なＣ／Ｎ値が異なる別々の変調方式で変調された被変調波が時間軸多重されて伝送される。かかる階層化伝送ディジタル放送を受信して記録するディジタル放送記録装置の従来例を図３に示す。
【０００３】
図３は従来例ディジタル放送記録装置を示すブロック図である。図３において、１４はフロントエンド、１５はＰＳＫ復調器、１７はエラー訂正器、３０はデマルチプレクサ、２５はオーディオ／ビデオデコーダ、４３は制御手段５０に接続された操作手段、６０は記録手段である。
制御手段５０は、比較器２９、ＰＩＤ選択制御部４１を有するＰＳＩ処理部３９、記録手段６０を制御するための記録手段制御部５１を備える。
【０００４】
フロントエンド１４では、図示しないチューナ部から供給されたＢＳのＩＦ信号が直交検波器１１で直交検波され、この出力はＡＤコンバータ（ＡＤＣ）１３でディジタル信号に変換され、ＰＳＫ復調器１５に出力され。ＡＤコンバータ（ＡＤＣ）１３には、搬送波電力対雑音電力比（Ｃ／Ｎ）を計測するためのＣ／Ｎ検出器２７が接続される。ＰＳＫ復調器１５ではｎＰＳＫ（ｎは８、４、２）等のディジタル復調が行われ、エラー訂正器１７でエラー訂正が行われる。ＰＳＫ復調器１５に入力される被変調波には、番組情報である８ＰＳＫ被変調波、４ＰＳＫ被変調波と、制御情報であるＢＰＳＫ被変調波が含まれており、ＰＳＫ復調器１５では各変調方式に適合する復調方式で復調される。
【０００５】
デマルチプレクサ３０はトランスポートストリーム分離器１９（以下、ＴＳ分離器とも記す）とパケット抽出部２３とで構成され、ユーザが選択した受信チャンネルに基づいて、エラー訂正器１７の出力から単一のトランスポートストリームを選択し、ＰＳＩ処理部３９から与えられた復号すべきパケットＩＤのパケットを前記単一ＴＳデータから分離する。
【０００６】
即ち、エラー訂正器１７からは複数のトランスポートストリーム（ＴＳ）を有する伝送主信号及びＴＭＣＣ（Transmission and Multiplexing Configuration Control）データがトランスポートストリーム分離器（以下、ＴＳ分離器とも記す）１９に与えられる。前記ＴＭＣＣデータは、伝送方式、フレーム構造、ＴＳ−ＩＤ（トランスポートＩＤ）等の送信制御信号である。ＴＳ分離器１９は、ＰＳＩ処理部３９から与えられるＴＳ−ＩＤに基づいて、ユーザが選択したチャンネルのトランスポートパケット（以下、ＴＳパケットとも記す）を含む一つのトランスポートストリーム（以下、ＴＳとも記す）をパケット抽出部２３へ出力する。
【０００７】
パケット抽出部２３は、ＰＩＤ選択制御部４１から与えられるパケットＩＤ（以下、ＰＩＤとも記す）に基づいて、ＴＳ分離器１９から与えられたトランスポートストリームから、ユーザが選択したチャンネルに該当するトランスポートパケットを抽出し、オーディオ／ビデオデコーダ（以下、ＡＶ復号器とも記す）２５に出力する。
ＡＶ復号器２５の復号出力は図示しないテレビモニタ等の表示手段に与えられると共に、記録手段６０にも与えられる。ユーザが記録手段６０を操作する場合は、操作手段４３から記録手段制御部５１を介して制御する。
【０００８】
比較器２９では、Ｃ／Ｎ検出器２７の出力と予め定められた閾値との大小比較が行われ、その結果がＰＳＩ処理部３９に与えられる。ＰＳＩ（Program Specific Information）はトランスポートパケットとして送信されており、トランスポートストリーム分離器１９で受信信号から分離されたＰＳＩがＰＳＩ処理部３９に与えられる。前記ＰＳＩは、番組特定情報とも言われ、所要の番組を選択するために必要な情報で、ＰＡＴ、ＰＭＴ、ＮＩＴ、ＣＡＴの４つのテーブルからなる。
前記ＰＭＴ（Program Map Table）は、番組を構成する各符号化信号を伝送するＴＳパケットのパケットＩＤ及び有料放送の関連情報のうち共通情報を伝送するＴＳパケットのパケットＩＤを指定する。ＰＳＩ処理部３９では、操作手段４３から指定されたチャンネル番号のトランスポートパケットを含むＴＳ−ＩＤをＴＳ分離器１９に与えると共に、ＰＩＤ選択制御部４１は、比較器２９の出力と、前記ＰＭＴ等の情報を基に、前記チャンネル番号に該当するパケットＩＤ（ＰＩＤ）をパケット抽出部２３に与える。
【０００９】
ＰＳＫ復調器１５に入力される被変調波のうち、８ＰＳＫ被変調波は復調に必要なＣ／Ｎ値が大きく、これに比較して、４ＰＳＫ被変調波は復調に必要なＣ／Ｎ値が小さい。そして、Ｃ／Ｎ検出器２７で検出されたＣ／Ｎ値が所定の閾値より大きい場合には、パケット抽出部２３から８ＰＳＫ変調方式で変調され復調されたパケットが出力される。一方、Ｃ／Ｎ検出器２７で検出されたＣ／Ｎ値が所定の閾値より小さい場合には、パケット抽出部２３から４ＰＳＫ変調方式で変調され復調されたパケットが出力される。４ＰＳＫによる変調波で伝送された信号の画像は８ＰＳＫによる画像に比べて低品質であるが、画像の出力が中止されずに継続されるという特長がある。
【００１０】
８ＰＳＫによる情報と４ＰＳＫによる情報とでは、別々のＰＩＤを有するが、ＴＳ−ＩＤは同一の場合と異なる場合とがある。このため、比較器２９の出力に基づいて、８ＰＳＫに係るパケットと４ＰＳＫに係るパケットとの内の不要な方のパケットをＴＳ分離器１９でマスクする。このマスク処理では、例えば、Ｃ／Ｎ値が小さくパケット抽出部２３から４ＰＳＫによるパケットを出力する場合には、ＴＳ分離器１９において８ＰＳＫによるパケットのデータをすべて０にして、８ＰＳＫ情報が４ＰＳＫ情報に混入してデータ誤りが増加したり、誤動作が増加するのをを防ぐようにされている。
【００１１】
【発明が解決しようとする課題】
良好な天候で受信状態が良く、Ｃ／Ｎ検出器２７で検出されたＣ／Ｎ値が所定の閾値より大きい場合には、前記したようにパケット抽出部２３は８ＰＳＫによるパケットを抽出し出力する。そして、その出力をＡＶ復号器２５を介して記録手段６０で記録中に、天候が悪化しＣ／Ｎ値が所定に閾値より小さくなった場合には、パケット抽出部２３は４ＰＳＫによるパケットを抽出し出力する。４ＰＳＫによる画像は、８ＰＳＫによるそれと比べて、画質が劣化する。しかし、記録手段６０は前記Ｃ／Ｎに関係なく記録を継続する。このため、ユーザはテレビモニタ等の表示装置に表示される受信画像の画質が、録画するに値しないほど劣化していると感じたときには、手動操作により記録手段６０での記録を中止していた。また、受信画像の画質が劣化し４ＰＳＫによる画像が表示されたり、さらに受信状態が悪化して静止画が表示されるようになっても、８ＰＳＫによる画像信号を記録していたときと同一の記録速度で記録していた。
【００１２】
従来の記録手段を備えたディジタル放送受信装置、或いは従来のディジタル放送記録装置では、受信した信号を記録する場合に、ディスク状記録媒体、テープ状記録媒体、半導体メモリなどの記録媒体に、必要以上に高画質の記録モードで記録したり、記録するに値しない程度に信号品質の悪い画像を記録したりして、記録媒体を無駄に使用するという問題があった。
本発明は前記課題に鑑みてなされたものであり、受信状態が悪化した場合に記録媒体を無駄に使用しないようにしたディジタル放送受信装置及びディジタル放送記録装置を提供することを目的とする。
【００１３】
【課題を解決するための手段】
本発明のディジタル放送受信装置は前記課題を解決するためになされたものであり、第１の発明は、復調に必要なＣ／Ｎ（搬送波電力対雑音電力比）値が大きい第１の変調方式による第１の被変調波と、復調に必要なＣ／Ｎ値が小さい第２の変調方式による第２の被変調波とが時間軸多重されて伝送される階層化伝送ディジタル放送を受信して記録するディジタル放送記録装置において、受信信号のＣ／Ｎ値を測定するＣ／Ｎ測定手段と、該Ｃ／Ｎ測定手段から出力されるＣ／Ｎ値と予め定めた閾値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段と、前記デマルチプレクサ又は前記復号手段の出力を記録する記録手段とを備え、前記記録手段は、受信信号のＣ／Ｎ値が予め定めた第１の閾値以上のときには、前記第１の被変調波によって伝送された情報を記録し、受信信号のＣ／Ｎ値が前記第１の閾値未満であってかつ前記第１の閾値より小さい第２の閾値以上のときには、前記第２の被変調波によって伝送された情報を記録するようにしたディジタル放送記録装置である。
【００１４】
本発明のディジタル放送記録装置によれば、受信したディジタル放送信号を記録中に、降雨などにより受信状態が悪化してＣ／Ｎ値が第１の所定値より小さくなると、記録手段での記録が、高階層用の高品質の信号（前記第１の被変調波によって伝送された情報）から低階層用の低品質の信号（前記第２の被変調波によって伝送された情報）に自動的に切り替えられる。低階層用の低品質の信号は高階層用の高品質の信号に比して、単位時間当りのデータ発生量が少なく、アナログ信号に変換した場合は信号の周波数帯域が狭いから、記録速度を下げて記録することが出来、記録媒体の使用量を少なくすることが出来る。
【００１５】
第２の発明は、第１の発明のディジタル放送記録装置において、前記記録手段は、前記受信信号のＣ／Ｎ値が予め定めた第１の閾値以上のときには、デジタル情報を第１のビットレートで記録し、受信信号のＣ／Ｎ値が前記第１の閾値未満であってかつ前記第１の閾値より小さい第２の閾値以上のときには、デジタル情報を前記第１のビットレートより小さい第２のビットレートで記録するようにしたディジタル放送記録装置である。
【００１６】
本発明のディジタル放送記録装置によれば、低階層用の低品質の信号は高階層用の高品質の信号に比して、単位時間当りのデータ発生量が少いから、低階層用の低品質の信号を、前記第１のビットレートより小さい第２のビットレートで記録するようにしても、信号の品質を低下させずに記録できる。仮に、低階層用の低品質の信号を、前記第１のビットレートのままで記録しつづけると、ダミービットを設けて実質的なビットレートを低下させて記録することになり、記録媒体が無駄に使用されることになるが、そのような事態を回避することができる。
【００１７】
第３の発明は、第１の発明のディジタル放送記録装置において、前記記録手段は情報を磁気テープに記録する記録手段であり、前記受信信号のＣ／Ｎ値が予め定めた第１の閾値以上のときには、アナログ信号を第１のテープ速度で記録し、受信信号のＣ／Ｎ値が前記第１の閾値未満であってかつ前記第１の閾値より小さい第２の閾値以上のときには、アナログ信号を前記第１のテープ速度より小さい第２のテープ速度で記録するようにしたディジタル放送記録装置である。
【００１８】
本発明のディジタル放送記録装置によれば、受信信号をＤ／Ａ変換して得られるアナログ信号の周波数帯域が、低階層用の低品質の信号では高階層用の高品質の信号に比して狭いから、低階層用の低品質の信号を、前記第１のテープ速度より小さい第２のテープ速度で記録するようにしても、信号の品質を低下させずに記録できる。仮に、低階層用の低品質の信号を、前記第１のテープ速度のままで記録しつづけると、不必要に広帯域の記録モードで記録することになり、記録媒体が無駄に使用されることになるが、そのような事態を回避することができる。
【００１９】
第４の発明は、第１の発明のディジタル放送記録装置において、前記記録手段は情報を磁気ディスクに記録する記録手段であり、前記受信信号のＣ／Ｎ値が予め定めた第１の閾値以上のときには、アナログ信号を第１の線速度で記録し、受信信号のＣ／Ｎ値が前記第１の閾値未満であってかつ前記第１の閾値より小さい第２の閾値以上のときには、アナログ信号を前記第１の線速度より小さい第２の線速度で記録するようにしたディジタル放送記録装置である。
【００２０】
本発明のディジタル放送記録によれば、受信信号をＤ／Ａ変換して得られるアナログ信号の周波数帯域が、低階層用の低品質の信号では高階層用の高品質の信号に比して狭いから、低階層用の低品質の信号を、前記第１の線速度（記録ヘッドと記録媒体との相対速度）より小さい第２の線速度で記録するようにしても、信号の品質を低下させずに記録できる。仮に、低階層用の低品質の信号を、前記第１の線速度のままで記録し続けると、不必要に広帯域の記録モードで記録することになり、記録媒体が無駄に使用されることになるが、そのような事態を回避することができる。また、記録媒体の回転数を下げることにより、回転機器の寿命を延ばし、消費電力を低下させることができる。
【００２１】
第５の発明は、第１の発明乃至第４の発明のいずれかのディジタル放送記録装置において、前記比較器の出力が変化した後に同一の出力値が継続する時間を測定し、該継続時間が所定値以上のときに、前記記録手段で記録するときの記録速度を切り替えるようにしたディジタル放送記録装置である。
【００２２】
本発明のディジタル放送記録装置によれば、前記比較器の出力が短時間変化しただけでは記録速度は変更されないから、記録モードが頻繁に変更されて、記録の不連続点が多数出来るのを防止することが出来る。
【００２３】
第６の発明は、復調に必要なＣ／Ｎ（搬送波電力対雑音電力比）値が大きい第１の変調方式による第１の被変調波と、復調に必要なＣ／Ｎ値が小さい第２の変調方式による第２の被変調波とが時間軸多重されて伝送される階層化伝送ディジタル放送を受信して記録するディジタル放送記録装置において、受信信号のＣ／Ｎ値を測定するＣ／Ｎ測定手段と、該Ｃ／Ｎ測定手段から出力されるＣ／Ｎ値と予め定めた閾値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段と、前記デマルチプレクサまたは前記復号手段の出力を記録する記録手段とを備え、前記記録手段は、受信信号のＣ／Ｎ値が予め定めた第１の閾値以上のときには、前記第１の被変調波によって伝送された情報を記録し、受信信号のＣ／Ｎ値が前記第１の閾値未満のときには、記録を停止するようにしたディジタル放送記録装置である。
【００２４】
本発明のディジタル放送記録装置によれば、受信したディジタル放送信号を記録中に、降雨などにより受信状態が悪化してＣ／Ｎ値が所定の閾値より小さくなると、記録手段での記録が中止されるから、記録媒体の使用量を少なくすることが出来る。また、記録を中止することにより、無駄な電力の使用を削減することが出来る。
【００２５】
第７の発明は、第６の発明のディジタル放送記録装置において、前記比較器の出力が変化した後に同一の出力値が継続する時間を測定し、該継続時間が所定値以上のときに、前記記録手段での記録を行うか停止するかを切り替えるようにしたディジタル放送記録装置である。
【００２６】
本発明のディジタル放送記録装置によれば、前記比較器の出力が短時間の間変化しただけでは記録速度は変更されないから、記録手段において記録停止、記録再開が頻繁に行われるのを防止することが出来る。
【００２７】
第８の発明は、復調に必要なＣ／Ｎ（搬送波電力対雑音電力比）値が大きい第１の変調方式による第１の被変調波と、復調に必要なＣ／Ｎ値が小さい第２の変調方式による第２の被変調波とが時間軸多重されて伝送される階層化伝送ディジタル放送を受信するディジタル放送受信装置において、受信信号のＣ／Ｎ値を測定するＣ／Ｎ測定手段と、該Ｃ／Ｎ測定手段から出力されるＣ／Ｎ値と予め定めた閾値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段と、前記デマルチプレクサまたは前記復号手段の出力を記録する記録手段とを備え、前記デマルチプレクサは、受信信号のＣ／Ｎ値が予め定めた第１の閾値以上のときには、前記第１の被変調波によって伝送されたトランスポートパケットを抽出して前記記録手段へ供給し、受信信号のＣ／Ｎ値が前記第１の閾値未満であってかつ前記第１の閾値より小さい第２の閾値以上のときには、前記第２の被変調波によって伝送されたトランスポートパケットを抽出して前記記録手段へ供給するようにしたディジタル放送受信装置である。
【００２８】
第９の発明は、復調に必要なＣ／Ｎ（搬送波電力対雑音電力比）値が大きい第１の変調方式による第１の被変調波と、復調に必要なＣ／Ｎ値が小さい第２の変調方式による第２の被変調波とが時間軸多重されて伝送される階層化伝送ディジタル放送を受信するディジタル放送受信装置において、受信信号のＣ／Ｎ値を測定するＣ／Ｎ測定手段と、該Ｃ／Ｎ測定手段から出力されるＣ／Ｎ値と予め定めた閾値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段と、前記デマルチプレクサまたは前記復号手段の出力を記録する記録手段とを備え、受信信号のＣ／Ｎ値が予め定めた第１の閾値以上のときには、前記デマルチプレクサは前記第１の被変調波によって伝送されたトランスポートパケットを抽出して前記記録手段へ供給し、受信信号のＣ／Ｎ値が前記第１の閾値未満のときには、前記デマルチプレクサはトランスポートパケットを前記記録手段へ供給せず、前記記録手段は記録を中止するようにしたディジタル放送受信装置である。
【００２９】
【発明の実施の形態】
本発明のディジタル放送記録装置は、復調に必要なＣ／Ｎ値が大きい第１の変調方式（例えば８ＰＳＫ）による第１の被変調波と、復調に必要なＣ／Ｎ値が小さい第２の変調方式（例えば４ＰＳＫ）による第２の被変調波とが時間軸多重されて伝送される階層化伝送ディジタル放送を受信して記録する装置であり、受信信号のＣ／Ｎ値を測定するＣ／Ｎ測定手段と、Ｃ／Ｎ値と所定の閾値との大小を比較する比較手段と、復調出力から特定のトランスポートパケットを前記比較手段の出力に応じて抽出するデマルチプレクサと、該デマルチプレクサの出力を復号する復号手段と、記録手段とを備え、前記記録手段は、受信信号のＣ／Ｎ値が第１の閾値以上のときには、前記第１の被変調波によって伝送されたパケットの情報を記録し、受信信号のＣ／Ｎ値が前記第１の閾値未満であってかつ前記第１の閾値より小さい第２の閾値以上のときには、前記第２の被変調波によって伝送されたパケットの情報を記録するようにして、受信状態が悪化した場合には、記録媒体の使用量を減少させるものである。
【００３０】
以下、発明の実施の形態について図面を参照して説明する。
図１は本発明ディジタル放送記録装置の第１実施例を示すブロック図である。図１と図３とで、同一機能、同一作用の要素には同一の符号を付し、その説明を省略する。図１に示す本発明ディジタル放送記録装置と図３に示す従来例ディジタル放送記録装置との主たる違いは、図１の制御手段４０はタイマ３３、時間判定器３５、記録手段制御部３７を有し、時間判定器３５の出力によりＰＳＩ処理部３９を制御する点と、ＡＶ復号器２５の出力がバッファメモリ４３を介して記録手段６０に与えられている点である。
なお、以下に説明する実施例では、ディジタル放送における番組情報は、復調に要するＣ／Ｎ値が大きい高階層用の８ＰＳＫ変調方式と、復調に要するＣ／Ｎ値が小さい低階層用の４ＰＳＫ変調方式との２つの変調方式で変調されて、送信されるものとして説明する。
【００３１】
図１において、比較器２９では、Ｃ／Ｎ検出器２７の出力と予め定められた閾値との大小比較が行われ、その結果がタイマ３３に与えられる。比較器２９は、例えば、受信信号のＣ／Ｎ値が予め定めた第１の閾値以上のときには"１１"なる２ビットを出力し、受信信号のＣ／Ｎ値が前記第１の閾値未満であってかつ前記第１の閾値より小さい第２の閾値以上のときには"１０"を出力し、受信信号のＣ／Ｎ値が前記第２の閾値未満のときには"００"を出力する。
【００３２】
タイマ３３は比較器２９から出力された値が同一値を維持している継続時間を計測する。時間判定器３５はタイマ３３から与えられた前記継続時間の値を予め定めた所定値と比較し、前記所定値を超えたときに出力をＰＳＩ処理部３９と記録手段制御部３７とに与える。例えば、時間判定器３５の出力の初期値は"１１"であり、比較器２９の出力が"１１"から"１０"に変化してから５秒間連続して"１０"を出力すると時間判定器３５の出力は"１０"に変化し、さらに比較器２９の出力が"１０"から"００"に変化してから５秒間連続して"００"を出力すると時間判定器３５の出力は"００"に変化する。また、比較器２９の出力が"１０"から"１１"に変化してから５秒間連続して"１１"を出力すると時間判定器３５の出力は"１１"に変化する。
【００３３】
ＰＳＩ処理部３９は、記録手段制御部３７の出力とユーザが選択したチャンネル番号とに応じて、ＴＳ分離器１９が出力するトランスポートストリーム（ＴＳ）とパケット抽出部２３が抽出するバケットＩＤを変更する。８ＰＳＫに係るパケットと４ＰＳＫに係るパケットとが同一のＴＳに含まれる場合は、時間判定器３５の出力ではバケットＩＤだけが変更される。
この結果、時間判定器３５の出力が"１１"の時には、パケット抽出部２３は８ＰＳＫの変調方式で変調され復調されたパケットのデータを出力し、時間判定器３５の出力が"１０"の時には、４ＰＳＫの変調方式で変調され復調されたパケットのデータを出力する。さらに、時間判定器３５の出力が"００"のときには、パケット抽出部２３からＡＶ復号器２５への出力を停止する。
【００３４】
記録手段６０は記録手段制御部３７による制御によって、記録モード（記録速度等）の変更、記録の一時停止、再開等を行う。例えば、時間判定器３５の出力が"１１"の時には、記録手段６０は８ＰＳＫの変調方式で変調され復調されたパケットのデータを第１の記録レートで記録し、時間判定器３５の出力が"１０"の時には、４ＰＳＫの変調方式で変調され復調されたパケットのデータを前記第１の記録レートより遅い第２の記録レートで記録する。前記記録レートとは、単位時間に記録されるビット数（ビットレート）である。また、時間判定器３５の出力が"００"のときには、記録手段６０は記録を停止し、時間判定器３５の出力が"００"以外に復帰したときには、記録を再開する。
【００３５】
記録手段６０において記録する記録媒体は、半導体記録媒体や、磁気記録媒体、光記録媒体、光磁気記録媒体などがあり、形状的にはがディスク状記録媒体やテープ状記録媒体などがある。
かかる記録媒体がディスク状記録媒体であって、記録速度を変更するのに、記録媒体の回転速度を変更して記録媒体と記録ヘッドとの相対速度である線速度を変更する場合は、線速度変更のためにスピンドルモータの回転速度を変更している間は記録媒体への書き込みを一時停止して、その間にＡＶ復号器２５から出力されたデータは一時的にバッファメモリ４３に格納する。そして、記録媒体の回転速度や記録線速度が所定値に変更されたあとでバッファメモリ４３から記録手段６０の記録媒体へデータを転送して書き込む。
【００３６】
前記記録媒体がビデオテープレコーダ（ＶＣＲ）のごとくテープ状記録媒体であって、記録速度を変更するために磁気テープの走行速度を変更する場合は、テープ速度の変更中は記録媒体への書き込みを一時停止して、その間のデータは一時的にバッファメモリ４３に格納し、磁気テープの走行速度が所定値に変更されたあとでバッファメモリ４３から記録手段６０の記録媒体へ転送して書き込む。
【００３７】
なお、バッファメモリ４３と記録手段６０との間にディジタル／アナログ変換器を設けて、記録手段６０でアナログ信号を記録することも出来る。この場合にも、８ＰＳＫによる信号を記録する場合には、記録媒体への書き込み線速度やテープ走行速度を大きくし、４ＰＳＫによる信号を記録する場合には、記録媒体への書き込み線速度やテープ走行速度を小さくして、記録対象の画像信号の品質に見合った記録モードで記録する。これにより、必要以上に多くの記録媒体を使用することを防止することができる。
【００３８】
次に本発明ディジタル放送記録装置の第２実施例について説明する。図２は本発明ディジタル放送記録装置の第２実施例を示すブロック図である。図１と図２とで同一機能、同一作用の要素には同一の符号を付し、その説明を省略する。
図１に示す本発明第１実施例と図２に示す本発明第２実施例との主たる違いは、図２では、比較器２９の出力をＰＳＩ処理部３９に与え、比較器２９とスイッチ３１との間にスイッチ３１を設け、バッファメモリ４３を削除している点である。そして、この第２実施例では、受信状態が悪化して４ＰＳＫによるデータをパケット抽出部２３が出力して間は、記録手段６０での記録を中止する。
【００３９】
図２に示すディジタル放送記録装置２０において、スイッチ３１は比較器２９の出力によって記録手段６０の制御を行うか否かを切り替えるもので、ユーザが予め設定することが出来る。比較器２９の出力はＰＳＩ処理部３９に与えられ、ＰＳＩ処理部３９は比較器２９の出力とユーザが選択したチャンネル番号とに応じて、ＴＳ分離器１９が出力するトランスポートストリームとパケット抽出部２３が抽出するバケットＩＤを変更する。８ＰＳＫに係るパケットと４ＰＳＫに係るパケットとが同一のＴＳに含まれる場合は、バケットＩＤだけを変更する。
この結果、比較器２９の出力が"１１"の時には、パケット抽出部２３は８ＰＳＫの変調方式で変調され復調されたパケットのデータを出力し、比較器２９の出力が"１０"の時には、４ＰＳＫの変調方式で変調され復調されたパケットのデータを出力する。さらに、比較器２９の出力が"００"のときには、パケット抽出部２３からＡＶ復号器２５への出力を停止する。
【００４０】
記録手段６０は記録手段制御部３７ｂによる制御によって、記録モード（記録速度等）の変更、記録の一時停止、再開等を行う。例えば、時間判定器３５の出力が"１１"の時には、記録手段６０は、８ＰＳＫの変調方式で変調され復調されたパケットのデータを記録し、時間判定器３５の出力が"１０"のときと"００"のときは、記録手段６０は記録を停止する。
なお、記録手段６０がＶＣＲである場合に、記録中に降雨などにより受信状態が悪化して、ＶＣＲでの記録を中止した後に、磁気テープを記録開始の位置まで巻き戻しておくようにしても良い。こうすることにより、巻き戻す前に中断された記録を無効として、巻き戻した後の位置から次回の記録をすぐに開始することが出来る。
【００４１】
本発明は記録手段を有するディジタル放送受信装置にも適用できる。また、本発明のディジタル放送受信装置及びディジタル放送記録装置によれば、受信状態が悪化してＣ／Ｎ値が所定値より小さくなると、記録手段での記録が中止されるか、記録対象の画像信号の信号品質に見合った記録速度まで記録速度を低下させているから、記録手段で使用される記録媒体や使用される記録領域を少なくすることが出来る。
【図面の簡単な説明】
【図１】本発明ディジタル放送記録装置の第１実施例を示すブロック図である。
【図２】本発明ディジタル放送記録装置の第２実施例を示すブロック図である。
【図３】従来例ディジタル放送記録装置を示すブロック図である。
【符号の説明】
１１    直交検波器
１３    ＡＤコンバータ（ＡＤＣ）
１４    フロントエンド
１５    ＰＳＫ復調器（復調手段）
１７    エラー訂正器
１９    トランスポートストリーム分離器（ＴＳ分離器）
２３    パケット抽出器
２５    オーディオ／ビデオデコーダ（復号手段）
２７    Ｃ／Ｎ検出器（Ｃ／Ｎ測定手段）
２９    比較器（比較手段）
３０    デマルチプレクサ
３１    スイッチ
３３    タイマ
３５    時間判定器
３７、３７ｂ    記録手段制御部
３９    ＰＳＩ処理部
４０    制御手段
４１    ＰＩＤ選択制御部
４３    バッファメモリ
６０    記録手段
【図１】
0003735246.tif 000002
【図２】
0003735246.tif 000003
【図３】
0003735246.tif 000004